(57)【要約】【課題】　単一種類の振れ止め金具で親桁の大きさが異なる複数種類のケーブルラックを支持構造材に取付けて振れ止めする。【解決手段】　ケーブルラック１に係止する係止部材２と、係止部材２に連結するとともに支持構造材３に係止する固定部材４とを備えた振れ止め金具５である。ケーブルラック１の親桁７の外面に沿わせるための中間部８の下端部に固定部材４を連結するための連結部１１を設ける。親桁７の上端に係止するための係止部９、係止部９の一端部に設けられ親桁７内方に引掛かる引っ掛け部１０、係止部９の他端部に設けられる接続片２０、を有する可動部材２１を構成する。可動部材２１の接続片２０を中間部８の上端部にボルト２２、ナット２３により接続して係止部材２を構成する。【選択図】　　　　図１
2004105000.tif 000002
【特許請求の範囲】
【請求項１】
ケーブルラックに係止する係止部材と、係止部材に連結するとともに支持構造材に係止する固定部材とを備えたケーブルラックの振れ止め金具であって、ケーブルラックの親桁の外面に沿わせるための中間部の下端部に固定部材を連結するための連結部を設け、親桁の上端に係止するための係止部、係止部の一端部に設けられ親桁内方に引掛かる引っ掛け部、係止部の他端部に設けられる接続片、を有する可動部材を構成し、該可動部材の接続片を中間部の上端部にボルト、ナットにより接続して係止部材を構成して成ることを特徴とするケーブルラックの振れ止め金具。
【発明の詳細な説明】
【技術分野】
【０００１】
　本発明は、配電用などのケーブルを配設する際に用いられるケーブルラックの振れ止めをするために使用する振れ止め金具に関するものである。
【背景技術】
【０００２】
　従来から建物の天井近傍空間等にケーブルラックを配設し、ケーブルラックに配電用などのケーブルを配設することが行われている。ケーブルラックは一対の長尺の親桁を対向させて配置し、対向する親桁の下端部間に複数の小桁を架設して長尺の梯子状に形成してある。そして、ケーブルラックはアングル材等の支持構造材上に載せるとともに図５に示すような振れ止め金具５により支持構造材に取付けてケーブルラックが横振れしないように取付けていた。
【０００３】
　図５に示す振れ止め金具５は、ケーブルラックの親桁の外面に沿わせるための中間部８の上端部に親桁の上端に係止するための係止部９と、係止部９の先端から親桁の内方に引っ掛かる引っ掛け部１０を設け、中間部８の下端部に下横片１９を設け、下横片１９に支持構造材に係止するための固定部材４をボルト１７、ナット１８により連結することで構成してある。そして、ケーブルラックを支持構造材に載置した状態で親桁の上端部に係止部９を係止すると共に引っ掛け部１０を親桁の内方に引っ掛け、固定部材４の下端部の下係止部１６を支持構造材の下端部（例えば支持構造材がアングルの場合にはアングルの縦片の下端部）に係止し、ナットを締め付けることで振れ止め金具５によりケーブルラックが振れないように支持構造材に取付けるようにしている。
【０００４】
　ところが、上記の従来例の振れ止め金具５にあっては、係止部９は単一大きさの親桁に対応した大きさに形成してあり、したがって、異なる大きさの親桁には使用することができず、このため、振れ止め金具５として係止部９の大きさの異なる複数種類のものが必要であり、製造コストが高くなり、また、施工に当たって、他種類の振れ止め金具５を持って施工する必要があって、施工性が悪いという問題があった。
【０００５】
　このような従来例として例えば特許文献１が知られている。
【特許文献１】特開平４−６１４１５号公報
【発明の開示】
【発明が解決しようとする課題】
【０００６】
　本発明は上記の点に鑑みてなされたものであり、単一種類の振れ止め金具により親桁の大きさが異なる複数種類のケーブルラックを支持構造材に取付けて確実に振れ止めできるケーブルラックの振れ止め金具を提供することを課題とするものである。
【課題を解決するための手段】
【０００７】
　上記課題を解決するために本発明に係るケーブルラックの振れ止め金具は、ケーブルラック１に係止する係止部材２と、係止部材２に連結するとともに支持構造材３に係止する固定部材４とを備えたケーブルラックの振れ止め金具５であって、ケーブルラック１の親桁７の外面に沿わせるための中間部８の下端部に固定部材４を連結するための連結部１１を設け、親桁７の上端に係止するための係止部９、係止部９の一端部に設けられ親桁７内方に引掛かる引っ掛け部１０、係止部９の他端部に設けられる接続片２０、を有する可動部材２１を構成し、該可動部材２１の接続片２０を中間部８の上端部にボルト２２、ナット２３により接続して係止部材２を構成することを特徴とするものである。
【０００８】
　このような構成とすることで、ケーブルラック１の親桁７の大きさの違いに応じて、ナット２３の締め付け量を調整して親桁７の上端部の巾に対応するように調整するものであり、親桁７の大きさが異なっても、係止部９を親桁７の上端部に係止すると共に引っ掛け部１０を親桁７の内方に引っ掛け係止し、中間部８を親桁７の外面に沿わせ、ナット２３を締め付け、更に、固定部材４を支持構造材３に係止するものであり、このようにして、振れ止め金具５を用いて種々の大きさの親桁７を支持構造材３に取付けて、ケーブルラック１の振れ止めをするものである。
【発明の効果】
【０００９】
　本発明は、親桁の大きさが異なっても、ケーブルラックの親桁の大きさの違いに応じて、ナットの締め付け量を調整して親桁の上端部の巾に対応するように調整し、係止部を親桁の上端部に係止すると共に引っ掛け部を親桁の内方に引っ掛け係止し、中間部を親桁の外面に沿わせ、ナットを締め付け、固定部材の下係止部をアングル材のような支持構造材の下端に係止することで、振れ止め金具を用いて種々の大きさの親桁を支持構造材に取付けて、ケーブルラックの振れ止めができるものであり、振れ止め金具を製造する金型コストが低下し、また、施工に当たっても、従来のように他種類の振れ止め金具を持って施工する必要がなくて施工性がよいという利点がある。
【発明を実施するための最良の形態】
【００１０】
　本発明の実施形態を図４に示し、図１乃至図３に参考例を示す。図４の本発明の実施形態を説明する前に、ケーブルラック１、振れ止め金具５、支持構造材３の関係を説明するために、まず、図１乃至図３に示す参考例につき説明する。
【００１１】
　ケーブルラック１は図２、図３の参考例に示すように、一対の長尺の親桁７を対向させて配置し、対向する親桁７の下端部間に複数の小桁１３を架設して長尺な梯子状に形成してある。そして、このケーブルラック１はアングル材等の支持構造材３上に載せるとともに後述の振れ止め金具５により支持構造材３に取付けてケーブルラック１が横振れしないように取付けられる。ここで、支持構造材３は建物のスラブ、梁等の建物の構造材（図示せず）からボルト（図示せず）により吊設したものにより構成してあったり、あるいは、支持構造材３自体が建物の構造材である場合がある。
【００１２】
　参考例として用いる振れ止め金具５は図１に示すように、ケーブルラック１の親桁７に取付ける係止部材２と、係止部材２に連結手段を介して連結すると共に支持構造材３に係止する固定部材４とで構成してある。
【００１３】
　係止部材２は、ケーブルラック１の親桁７の外面に沿わせるための中間部８の上下方向の一端部に一の親桁７ａの大きさに対応した大きさに形成されて該一の親桁７ａの上端に係止するための第１の係止部９ａと、第１の係止部９ａの先端から該一の親桁７内方に引っ掛かる第１の引っ掛け部１０ａとよりなる第１の係止手段６ａを設け、更に、中間部８の上下方向の他端部に他の大きさの親桁７ｂに対応した大きさに形成されて該他の大きさの親桁７ｂの上端に係止するための第２の係止部９ｂと、第２の係止部９ｂの先端から該他の大きさの親桁７ｂの内方に引っ掛かる第２の引っ掛け部１０ｂとよりなる第２の係止手段６ｂを設けて構成してあり、第１の係止部９ａと第２の係止部９ｂとはその大きさが異なっている（すなわち図１における寸法ａと寸法ｂとが異なっている）。また、第１の係止手段６ａの第１の係止部９ａと第２の係止手段６ｂの第２の係止部９ｂにはそれぞれ固定部材４に連結するための連結部１１を構成する孔１１ａが設けてある。
【００１４】
　固定部材４は上端部に孔１５を有する上連結片１４を設けるとともに下端部にレ字状に屈曲した下係止部１６を設けたものである。
【００１５】
　そして、第１の係止部９ａ又は第２の係止部９ｂのいずれか一方を下にして孔１１ａから連結手段を構成するボルト１７を挿入し、更にボルト１７を固定部材４の上連結片１４の孔１５に挿通してナット１８を螺合することで振れ止め金具５が構成してある。
【００１６】
　上記のような構成の振れ止め金具５を用いてケーブルラック１をアングル材等の支持構造材３上に取付けるには、図２に示すように、取付けようとするケーブルラック１の親桁７（これを一の親桁７ａとする）の大きさに対応した大きさの係止部９（この係止部９を第１の係止部９ａとする）が上となるようにし、該一の親桁７ａの大きさに対応しない方の第２の係止部９ｂが下となるとともに該下に位置する第２の係止部９ｂ側に前述のようにボルト１７、ナット１８を用いて固定部材４を連結したものとして使用する。そして、一の親桁７ａの上端部に上に位置する第１の係止部９ａを係止すると共に第１の引っ掛け部１０ａを該一の親桁７ａの内方に引っ掛け、中間部８を該一の親桁７ａの外面に沿わせ、また、固定部材４の下係止部１６をアングル材のような支持構造材３の下端に係止し、この状態でナット１８を締め付けるものであり、このようにして、振れ止め金具５を用いて一の親桁７ａを支持構造材３に取付けて、ケーブルラック１の振れ止めをするものである。
【００１７】
　一方、取付けようとするケーブルラック１の親桁７が上記した一の親桁７ａとは異なる大きさの場合、図３に示すように、他の大きさの親桁７ｂに対応した大きさの第２の係止部９ｂが上となるようにし、該他の大きさの親桁７ｂに対応しない方の第１の係止部９ａが下となるとともに該下に位置する第１の係止部９ａ側に前述のようにボルト１７、ナット１８を用いて固定部材４を連結したものとして使用する。そして、他の大きさの親桁７ｂの上端部に上に位置する第２の係止部９ｂを係止すると共に第２の引っ掛け部１０ｂを該他の大きさの親桁７ｂの内方に引っ掛け、中間部８を該他の大きさの親桁７ｂの外面に沿わせ、また、固定部材４の下係止部１６をアングル材のような支持構造材３の下端に係止し、この状態でナット１８を締め付けるものであり、このようにして、振れ止め金具５を用いて他の親桁７ｂを支持構造材３に取付けて、ケーブルラック１の振れ止めをするものである。
【００１８】
　上記いずれの場合にも、親桁７の上下長さや支持構造材３の上下長さが異なってもナット１８の締め付け量を変えることで簡単に対応して確実に振れ止め金具５を用いて親桁７を支持構造材３に取付けることができるものである。
【００１９】
　このように、親桁７ｂの大きさの異なるケーブルラック１を共通の振れ止め金具５により支持構造材３に取付けて振れ止めできるので、振れ止め金具５として複数種類必要でなく、この結果、振れ止め金具５を製造するための金型コストが低下し、また、施工に当たり、複数種類の振れ止め金具５を持って施工する必要がないので、施工も容易に行えるものである。
【００２０】
　上記図１乃至図３に示す参考例は中間部８の上下方向の一端部と他端部とにそれぞれ連結部１１を有する第１の係止手段６ａと第２の係止手段６ｂを設けて、親桁７ｂの大きさの異なるケーブルラック１を共通の振れ止め金具５により支持構造材３に取付けて振れ止めするようにしているが、図４に示す本発明の実施形態の振れ止め金具５は上記参考例とは異なり、以下のような構成となっている。
【００２１】
　すなわち、図４に示すように、本発明の実施形態においては、ケーブルラック１の親桁７の外面に沿わせるための中間部８の下端部に下横片１９を設け、横片よりなる係止部９と係止部９の一端部から下方に向けて垂下した引っ掛け部１０と、係止部９の他端部から上方に向けて突設した接続片２０とにより可動部材２１を構成し、この可動部材２１の接続片２０を中間部８の上端部にボルト２２、ナット２３により接続して係止部材２を構成し、下横片１９と固定部材４の上連結片１４とをボルト１７、ナット１８を用いて連結することで振れ止め金具５を構成してある。そして本実施形態においては、可動部材２１とボルト２２、ナット２３により複数種類の大きさのケーブルラック１に係止可能な係止手段６を構成してある。そして、本実施形態においては、これによりケーブルラック１の親桁７の大きさの違いに応じて、ナット２３の締め付け量を調整して図４における寸法Ｍを該当する親桁７の上端部の巾に対応するように調整するものであり、親桁７の大きさが異なっても、係止部９を親桁７の上端部に係止すると共に引っ掛け部１０を親桁７の内方に引っ掛け係止し、中間部８を親桁７の外面に沿わせ、ナット２３を締め付け、更に固定部材４の下係止部１６をアングル材のような支持構造材３の下端に係止し、この状態でナット１８を締め付けるものであり、このようにして、振れ止め金具５を用いて種々の大きさの親桁７を支持構造材３に取付けて、ケーブルラック１の振れ止めをするものである。
【図面の簡単な説明】
【００２２】
【図１】参考例の振れ止め金具の一実施形態の分解斜視図である。
【図２】同上の一使用例を示す斜視図である。
【図３】同上の他の使用例を示す斜視図である。
【図４】本発明の振れ止め金具の他の実施形態の分解斜視図である。
【図５】従来例の振れ止め金具の分解斜視図である。
【符号の説明】
【００２３】
　１　ケーブルラック
　２　係止部材
　３　支持構造材
　４　固定部材
　５　振れ止め金具
　６　係止手段
　７　親桁
　８　中間部
　１１　連結部
【図１】
2004105000.tif 000003
【図２】
2004105000.tif 000004
【図３】
2004105000.tif 000005
【図４】
2004105000.tif 000006
【図５】
2004105000.tif 000007